【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
光受容体と、
上記光受容体を帯電させるように構成された帯電地点と、
上記光受容体上に潜像を生成するように構成された露光地点と、
上記光受容体にトナーを移す現像地点と、
転写電流によって上記光受容体から印刷媒体にトナー像を転写するように構成された転写地点と、
上記光受容体に関連する文書間域（ＩＤＺ）および上記光受容体に関連するシート域（ＳＺ）に、動作可能に関連する１つまたは複数の静電電圧（ＥＳＶ）センサであって、上記光受容体に沿った１つ以上の位置でＩＤＺ電圧を測定し、上記光受容体に沿った１つ以上の位置でＳＺ電圧を測定するように構成された上記ＥＳＶセンサと、
上記帯電装置、露光地点および転写地点の中の１つまたは複数を制御する制御装置であって、上記１つまたは複数のＥＳＶセンサに動作可能に接続され、実質的に上記シート域（ＳＺ）内において第１転写電流を生成し、上記文書間域（ＩＤＺ）内において第２転写電流を生成するように構成された上記制御装置と、を有し、
上記第２転写電流は上記第１転写電流を修正することにより生成され、上記光受容体に沿った１つ以上の位置にて測定された上記ＩＤＺ電圧と上記ＳＺ電圧とを実質的に等しくする、
画像形成装置。
【請求項２】
上記制御装置は、測定された上記ＳＺ電圧と測定された上記ＩＤＺ電圧とに関連する光受容体電圧プロファイルに基づいて、上記光受容体の上記文書間域（ＩＤＺ）と上記シート域（ＳＺ）との間の捕獲された帯電の差を低減するように構成されている、請求項１に記載の装置。
【請求項３】
上記制御装置は、時間に関して、光受容体電圧プロファイルを生成し、上記転写装置、上記露光地点、および、上記帯電装置の中の１つまたは複数に信号を送るように構成されており、上記文書間域において生成された転写電流および／または帯電をそれぞれ変更し、上記プロファイルにおいて生成された電圧差を低減する、請求項１に記載の装置。
【請求項４】
上記文書間域は、上記光受容体の隣接しているシート域間に設置されており、上記シート域の大きさに応じた大きさに変化する、請求項１に記載の装置。
【請求項５】
画像形成装置におけるゴーストおよびプロセス制御の不安定性の中の１つまたは複数を最小化する方法において、
上記画像形成装置に動作可能に関連する光受容体に関連する文書間域（ＩＤＺ）の第１電圧測定値を得るステップと、
上記画像形成装置における上記光受容体の上記文書間域（ＩＤＺ）に隣接するシート域（ＳＺ）の第２電圧測定値を得るステップと、
上記第１電圧測定値と上記第２電圧測定値との差が予め決定された許容値内に維持されるように、上記第１電圧測定値と上記第２電圧測定値とに基づいて上記光受容体から印刷媒体にトナーを転写するように構成された転写装置の転写電流を修正するステップと、
を含み、
上記第１電圧測定値および上記第２電圧測定値は、上記光受容体に沿った１つ以上の位置において得られ、
上記転写電流は、上記光受容体に沿った１つ以上の位置において得られた上記第１電圧測定値および上記第２電圧測定値に応じて修正され、
上記差は、各位置における上記第１電圧測定値と上記第２電圧測定値との間で低減される、
方法。
【請求項６】
上記印刷媒体の寸法の変化に応じて上記シート域（ＳＺ）の寸法を変化させるステップを更に含む、
請求項５に記載の方法。
【請求項７】
各域にて測定された電圧の差が低減されるように、上記光受容体に供給される帯電を修正することにより、上記光受容体の上記文書間域と上記シート域との間の捕獲された帯電の差を低減するステップを更に含む、
請求項６に記載の方法。
【手続補正２】
【補正対象書類名】明細書
【補正対象項目名】００３６
【補正方法】変更
【補正の内容】
【００３６】
上記開示された特徴および機能の変形、および、他の特徴および機能の変形、または、それらの代案を、多くの他の様々なシステムまたは用途に組み合わせてもよい、ということが認識されるだろう。以下の請求項によって含まれることが意図される、現在は思いがけないまたは予期しない様々な代案、変形例、変更または改良が、当業者によって今後なされてもよい。なお、以下に本発明の構成の一例を付記として示す。
（付記１）
光受容体と、
上記光受容体に帯電を発生させる帯電装置と、
上記光受容体上での露光をパターン形成する露光地点と、
上記光受容体に画像に関してトナーを現像する現像地点と、
転写電流によって上記光受容体から印刷媒体にトナーを転写するように構成された上記光受容体に近接した転写位置に位置する転写地点と、
文書間域（ＩＤＺ）およびシート域（ＳＺ）において動作可能に接続された１つまたは複数のセンサであって、１つまたは複数の位置において上記光受容体に沿って、上記ＩＤＺおよび上記ＳＺからデータを獲得する上記センサと、
上記帯電装置と、露光地点と、転写地点への転写電流とを介した上記光受容体の帯電および露光を制御する制御装置であって、光受容体プロファイルデータを上記制御装置に供給する上記センサから、フィードバックループに連結している上記制御装置とを有し、
上記制御装置は、受信された上記光受容体プロファイルデータに基づいて、トナーを転写する第１転写電流から第２転写電流に、ＩＤＺの間、上記転写電流を修正するように構成されている、画像形成装置。
（付記２）
上記制御装置は、上記フィードバックループを介して受信された上記信号に応じて、そこで第１電気量から第２の様々な電気量に、上記帯電と上記第１位置に対する上記露光とを修正するように構成されている、付記１に記載の装置。
（付記３）
上記制御装置は、受信された上記光受容体プロファイルデータに基づいて、上記光受容体の上記ＩＤＺとＳＺとの間の捕獲された帯電の差を低減する、付記２に記載の装置。
（付記４）
上記制御装置は、得られた上記データからの時間に関して、光受容体プロファイルを生成し、上記転写装置、上記露光地点、および／または、上記帯電装置に信号を送るように構成されており、上記文書間域において生成された上記転写電流および／または帯電をそれぞれ変更し、上記プロファイルにおいて生成された差を低減する、付記１に記載の装置。
（付記５）
上記文書間域は、上記光受容体の隣接しているシート域間に設置されており、上記シート域の大きさに応じた大きさに変化する、付記１に記載の装置。
（付記６）
光受容体と、
上記光受容体に帯電を発生させる帯電装置と、
上記光受容体において露光をパターン形成する露光地点と、
上記光受容体に画像に関してトナーを現像する現像地点と、
転写電流によって上記光受容体から印刷媒体にトナーを転写するように構成された上記光受容体に近接した転写位置に位置する転写地点と、
上記光受容体の第１位置および第２位置においてデータを獲得する、１つまたは複数のセンサと、
上記帯電装置、および、露光地点、および／または、転写地点への転写電流、を介した上記光受容体の帯電を制御する制御装置と、
上記センサと、上記光受容体の第１位置および第２位置において得られたデータを有する信号を供給する上記制御装置とに結合された、フィードバックループとを有し、
上記制御装置は、上記データを有する信号を受信するために上記フィードバックループに結合されたフィードバック入力部を含み、上記フィードバックループを介して受信された上記信号に応じて、そこで第１量から第２量に、上記転送電流、および／または、上記帯電、および、上記露光を修正するように構成されている、画像形成装置。
（付記７）
上記第２位置は、その上に画像を生成するために用いられる文書媒体の物理的な寸法を有するシート域を含み、上記第１位置は、上記シート域と接せずに上記光受容体の隣接しているシート域間である、上記光受容体の領域を含む文書間域を含む、付記６に記載の装置。
（付記８）
上記制御装置は、上記データから差分測定値を獲得し、上記第１位置において上記転写電流を修正して得られた上記差分測定値を低減することによって、トナー密度の変更を最小化するように構成されている、付記６に記載の装置。
（付記９）
上記制御装置は、上記データから差分測定値を獲得し、上記光受容体の上記第１位置と上記第２位置との間において所定の許容範囲内に電圧変化を維持するように構成されている、付記６に記載の装置。
（付記１０）
上記制御装置は、得られた上記データからの時間に関して、光受容体プロファイルを生成し、上記転写装置および／または上記帯電装置および上記露光地点に信号を送り、上記第１位置においてそれぞれ生成される電流および／または帯電を変更し、時間とともに上記プロファイルにおいて生成された差を低減するように構成されている、付記６に記載の装置。